(57)【要約】【課題】端子の変形を有効に抑制できる安価な構造の端子保護容器を提供する。【解決手段】端子付き電線４の端子４ａを収容可能な直方体状の収容容器本体２と、収容容器本体２の一面が開放状とされて形成された矩形の挿入開口部３の下辺より外側方延設状に一体形成された挿入ガイド舌片部２ｆと、挿入開口部３の上辺より延設状に一体形成されると共に、収容容器本体２の深さよりも長い長さを有し、収容容器本体２内に折り返されて対向する下壁面２ｂ側に弾接状とされる保持舌片部２ｇとを備える。端子保護容器１は弾性シート材から形成されている。【選択図】図１
0003139505.tif 000002
【実用新案登録請求の範囲】
【請求項１】
端子付き電線の端子を収容可能な直方体状の収容容器本体と、該収容容器本体の一面が開放状とされて形成された矩形の挿入開口部の一辺より外側方延設状に一体形成された挿入ガイド舌片部と、前記挿入開口部の前記一辺と対向する他辺より延設状に一体形成されると共に、前記収容容器本体の深さよりも長い長さを有し、収容容器本体内に折り返されて対向する前記一辺を有する面側に弾接状とされる保持舌片部と、を備え、弾性シート材から形成されていることを特徴とする端子保護容器。
【請求項２】
請求項１に記載の端子保護容器において、
所定形状に裁断された単一枚の弾性シート材で組み立て形成されていることを特徴とする端子保護容器。
【考案の詳細な説明】
【技術分野】
【０００１】
本考案は、端子付き電線の端子を収容可能な端子保護容器に関するものである。
【背景技術】
【０００２】
一般にワイヤーハーネスを製造する過程等において、コネクタ接続用の端子が端末に接続された端子付き電線を種々取り扱っている。このような端子付き電線は、例えば組立図板と呼称される作業台の上で配索される他、在庫部品として、ストック台等にストックされている。
【０００３】
そして、この種の端子付き電線の端子は、凹凸等の起伏した外形形状とされているため、引っ掛かりや欠損が生じやすい。そのため、この端子付き電線の端子を保護すべく、袋状容器が提案されている（例えば、特許文献１参照）。
【０００４】
【特許文献１】特開２００５−２５５１８２号公報
【考案の開示】
【考案が解決しようとする課題】
【０００５】
しかしながら、特許文献１に開示の袋状容器によれば、端子が収容される収容部が常閉状態とされて、挿入された端子を保持する構造であるため、持ち運び時等に他の部材との接触や衝突により袋状容器の外部から外力が作用した場合に、収容部内の端子が変形するおそれがあった。
【０００６】
そこで、そのような外力が作用した場合に、端子の変形を抑制すべく、硬質シートを軟質シートの間に介在した構造も提案されている。
【０００７】
しかしながら、このような硬質シートと軟質シートとからなる２層構造とすれば、製造に手間がかかり、コスト高を招くおそれがある。
【０００８】
そこで、この考案は上記のような課題に鑑み、端子の変形を有効に抑制できる安価な構造の端子保護容器を提供することにある。
【課題を解決するための手段】
【０００９】
上記課題を解決するための技術的手段は、端子付き電線の端子を収容可能な直方体状の収容容器本体と、該収容容器本体の一面が開放状とされて形成された矩形の挿入開口部の一辺より外側方延設状に一体形成された挿入ガイド舌片部と、前記挿入開口部の前記一辺と対向する他辺より延設状に一体形成されると共に、前記収容容器本体の深さよりも長い長さを有し、収容容器本体内に折り返されて対向する前記一辺を有する面側に弾接状とされる保持舌片部と、を備え、弾性シート材から形成されている点にある。
【００１０】
また、所定形状に裁断された単一枚の弾性シート材で組み立て形成されている構造としてもよい。
【考案の効果】
【００１１】
本考案の端子保護容器によれば、端子付き電線の端子を収容可能な直方体状の収容容器本体と、収容容器本体の一面が開放状とされて形成された矩形の挿入開口部の一辺より外側方延設状に一体形成された挿入ガイド舌片部と、挿入開口部の前記一辺と対向する他辺より延設状に一体形成されると共に、収容容器本体の深さよりも長い長さを有し、収容容器本体内に折り返されて対向する前記一辺を有する面側に弾接状とされる保持舌片部と、を備え、弾性シート材から形成されている構造であり、端子付き電線の端子を端子保護容器に収容する場合には、外側方延設状とされた挿入ガイド舌片に沿って端子を押し込み挿入していけば、弾接状とされている保持舌片部とその弾接状とされた面側との相互間より収容容器本体内に収容させることができる。
【００１２】
そして、収容容器本体内に端子が収容された端子付き電線は、保持舌片部の弾性力により挟み込まれて抜止め保持される。
【００１３】
また、端子保護容器に収容保持された端子付き電線を取り出す場合には、外部に露出している電線を利用して引き抜けば、保持舌片部の弾性力に抗して端子が外部に取り出される。この際、保持舌片部が収容容器本体の深さよりも長い長さとされているため、端子の引き抜き作業時に端子が保持舌片部の折り返し端縁部に引っ掛かることもなく、ここに、端子保護容器に対する端子の挿脱作業が容易に行える利点がある。
【００１４】
そして、収容容器本体を直方体状のいわゆるボックス状に構成しているため、収容された端子と収容容器本体の内面との間に空間部が確保でき、端子保護容器の持ち運び時等において外部から外力が作用した場合であっても、空間部が緩衝作用を発揮して、端子の変形が有効に抑制できると共に、弾性シート材により形成した簡単な構造であり、安価に提供できる利点がある。
【００１５】
さらに、所定形状に裁断された単一枚の弾性シート材で組み立て形成されている構造とすれば、量産に適し、安価に提供できる利点がある。
【考案を実施するための最良の形態】
【００１６】
以下、本考案の実施形態を図面に基づいて説明すると、図１ないし図３に示されるように、端子保護容器１は、例えば、ポリプロピレン樹脂等の適宜厚さを有するの弾性シート材から構成されてなり、直方体状のいわゆるボックス状に構成された収容容器本体２を備えている。
【００１７】
収容容器本体２は、図に示されるように、左側の一面が開放状とされて矩形の挿入開口部３を構成し、上下の上壁面２ａおよび下壁面２ｂと、その周囲３面を連結する前側壁面２ｃ、後側壁面２ｄおよび右側壁面２ｅにより、その内部に端子付き電線４の端子４ａが収容される収容空間部５を構成している。
【００１８】
また、挿入開口部３の下側の一辺を構成する下壁面２ｂの端縁には、外側方に向けて適宜長さ延設状に備えられた矩形の挿入ガイド舌片部２ｆが、下壁面２ｂに一体形成されている。
【００１９】
さらに、挿入開口部３の下側の一辺と対向する上側の一辺を構成する上壁面２ａの端縁には、外側方に向けて延設状に備えられた矩形の保持舌片部２ｇが、上壁面２ａに一体形成されており、該保持舌片部２ｇの延設方向の長さは、収容容器本体２の深さ、即ち、挿入開口部３から右側壁面２ｅに至る長さよりも長い長さを有している。
【００２０】
そして、この保持舌片部２ｇが、その弾性に抗して、収容容器本体２内に折り返されて挿入状とされ、その弾性により下壁面２ｂ側に弾接状とされている。この際、保持舌片部２ｇの挿入側端縁は、略右側壁面２ｅの内面に当接、もしくは近接する位置まで挿入され、挿入開口部３側は湾曲状となっている。
【００２１】
本実施形態の端子保護容器１は以上のように構成されており、例えば、図４に示されるような所定形状にプレス機による打ち抜き等により裁断された単一枚の弾性シート材１ａで組み立て形成されている。即ち、弾性シート材１ａは、端子保護容器１を構成する上壁面２ａ、下壁面２ｂ、前側壁面２ｃ、後側壁面２ｄ、右側壁面２ｅ、挿入ガイド舌片部２ｆおよび保持舌片部２ｇを備えると共に、接着剤により接着するための接着片２ｊ、切り込み２ｍを有する連結片２ｎおよび、切り込み２ｍに差し込まれる差し込み片２ｐを備えた構造とされている。
【００２２】
そして、それぞれの折り曲げラインＲに沿って折り曲げ、適宜接着剤により接着片２ｊを下壁面２ｂに接着すると共に、差し込み片２ｐを切り込み２ｍに差し込み、保持舌片部２ｇを収容空間部５内に折り返して挿入することにより、端子保護容器１が組み立て形成されている。
【００２３】
この端子保護容器１に端子付き電線４の端子４ａを収容する場合には、図２に示されるように、端子４ａを挿入ガイド舌片部２ｆに沿って押し込み挿入していけば、弾接状とされている保持舌片部２ｇと下壁面２ｂ側との相互間より収容容器本体２の収容空間部５内に案内され、図３に示されるように、容易に収容させることができる。
【００２４】
この収容状態において、収容容器本体２内に端子４ａが収容された端子付き電線４は、保持舌片部２ｇの弾性力により、保持舌片部２ｇと下壁面２ｂ側との相互間に挟み込まれて抜止め保持される。
【００２５】
また、端子保護容器１に収容保持された端子付き電線４を取り出す場合には、外部に露出している電線４ｂを利用して端子４ａを引き抜けば、保持舌片部２ｇの弾性力に抗して端子４ａが外部に取り出される。この際、保持舌片部２ｇが収容容器本体２の深さよりも長い長さとされているため、端子４ａの引き抜き作業時に端子４ａが保持舌片部２ｇの折り返し端縁部に引っ掛かることもなく、ここに、端子保護容器１に対する端子４ａの挿脱作業が容易に行え、使い勝手に優れる利点がある。
【００２６】
さらに、収容容器本体２を直方体状のいわゆるボックス状に構成しているため、収容された端子４ａの周囲と収容容器本体２の各壁面２ａ、２ｃ、２ｄ、２ｅの内面との相互間に空間部が確保でき、また、弾性シート材１ａで形成されているため、適宜剛性も有しており、端子保護容器１の持ち運び時等において外部から外力が作用した場合であっても、その空間部が緩衝作用を発揮して、端子４ａの変形が有効に抑制できる利点がある。
【００２７】
さらにまた、弾性シート材１ａを所定形状に裁断し、組み立てることにより容易に端子保護容器１を得ることができ、簡単な構造であり、量産に適し、安価に提供できる利点がある。
【００２８】
なお、上記実施形態においては、単一枚の弾性シート材１ａで端子保護容器１を形成して構造を示しているが、複数枚の弾性シート材を接着や溶着することにより組み立て形成する構造であってもよい。
【００２９】
また、収容容器本体２の大きさや形状等は、収容される端子４ａの大きさや形状等に応じて、適宜決定すればよい。
【図面の簡単な説明】
【００３０】
【図１】本考案の実施形態に係る端子保護容器の斜視図である。
【図２】端子保護容器の使用動作を示す断面正面図である。
【図３】端子保護容器の使用動作を示す断面正面図である。
【図４】端子保護容器の展開状態を示す平面図である。
【符号の説明】
【００３１】
１  端子保護容器
１ａ  弾性シート材
２  収容容器本体
２ｆ  挿入ガイド舌片部
２ｇ  保持舌片部
３  挿入開口部
４  端子付き電線
４ａ  端子
５  収容空間部
【図１】
0003139505.tif 000003
【図２】
0003139505.tif 000004
【図３】
0003139505.tif 000005
【図４】
0003139505.tif 000006